(57)【要約】【課題】情報送信方法およびデバイスを提供する。【解決手段】本方法は、UEがCQI値をeNBに報告するステップと、UEがeNBによって送信されたMCS値を受信するステップであって、MCS値はCQI値に従ってeNBによって決定されるステップと、UEがMCS値に従ってPDSCHデータを受信するステップを含み、CQI値およびMCS値は第２のテーブルセットに従って決定され、第２のテーブルセットによってサポート可能な変調方式は64QAMより高い。本発明の実施形態はシステムパフォーマンスを改善し、フィードバックリソースの浪費の削減が可能である。【選択図】図３
2019013055.tif 000002
【特許請求の範囲】
【請求項１】
情報送信方法であって、
UE(ユーザ機器)がCQI(チャネル品質指示)値をeNB(発展型NodeB)に報告するステップと、
前記UEが前記eNBによって送信されたMCS(変調および符号化方式)値を受信するステップであって、前記MCS値は、前記eNBによって前記CQI値に従って決定される、受信するステップと、
前記UEが前記MCS値に従ってPDSCH(物理下りシェアドチャネル)データを受信するステップとを備え、
前記CQI値および前記MCS値は、第２のテーブルセットに従って決定され、前記第２のテーブルセットによってサポート可能な変調方式は64QAM(直交振幅変調)より高い、情報送信方法。
【請求項２】
前記第２のテーブルセットのいくつかのエントリは、第１のテーブルセットのいくつかのエントリと同一であり、
前記第２のテーブルセットにおけるCQIテーブルのCQIインデックス数は、前記第１のテーブルセットにおけるCQIテーブルのCQIインデックス数と同一であり、
前記第２のテーブルセットにおけるMCSテーブルのMCSインデックス数は、前記第１のテーブルセットにおけるMCSテーブルのMCSインデックス数と同一であり、かつ前記第２のテーブルセットにおける前記MCSテーブルは、64QAMより高い変調方式のHARQ再送信のために予約されたMCSインデックスエントリを備える、請求項１に記載の情報送信方法。
【請求項３】
前記第２のテーブルセットが前記CQIテーブルを備え、前記CQIテーブルにおけるスペクトル効率が、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件と、
２つの隣接した変調方式にそれぞれ対応するスペクトル効率値の間の差異が、前記２つの変調方式のうちの各変調方式における任意の２つの隣接したスペクトル効率値の間の差異よりも小さいという条件を満たす、請求項１または２に記載の情報送信方法。
【請求項４】
前記第２のテーブルセットが前記MCSテーブルを備え、前記MCSテーブルが、
前記CQIテーブル内に備えられた全ての変調方式と、
前記CQIテーブル内に備えられた、前記変調方式のための補間を実行することによって取得される値とを備える、請求項１〜３のいずれか一項に記載の情報送信方法。
【請求項５】
前記MCSテーブルが、前記CQIテーブル内に備えられた、前記変調方式のための外挿を実行することによって取得される値、または、
前記CQIテーブル内に備えられた、前記変調方式のＴＢＳと同一のＴＢＳを有する値をさらに備える、請求項４に記載の情報送信方法。
【請求項６】
前記CQIテーブルは、
【表１】
2019013055.tif 000011
である、請求項２〜５のいずれか一項に記載の情報送信方法。
【請求項７】
前記MCSテーブルは、
【表２】
2019013055.tif 000012
である、請求項２〜５のいずれか一項に記載の情報送信方法。
【請求項８】
前記MCSテーブルは、
【表３】
2019013055.tif 000013
である、請求項２〜５のいずれか一項に記載の情報送信方法。
【請求項９】
UEがCQI値をeNBに前記報告するステップの前に、
前記UEが第１の制御シグナリングを前記eNBへ送信するステップであって、前記第１の制御シグナリングは前記UEが前記第２のテーブルセットをサポートすることを示すのに使用される、送信するステップと、
前記UEが前記eNBによって送信された第２の制御シグナリングを受信するステップであって、前記第２の制御シグナリングは前記第２のテーブルセットの使用を示すのに使用される、受信するステップをさらに備える、請求項１〜８のいずれか一項に記載の情報送信方法。
【請求項１０】
前記UEが前記eNBによって送信された第２の制御シグナリングを受信するステップの前に、前記UEが前記eNBによって送信されるとともに、第１のテーブルセットの使用を示す、第３の制御シグナリングを受信する場合、前記UEが前記第１のテーブルセットを使用して前記CQI値を前記eNBへ報告するステップであって、前記第１のテーブルセットによってサポート可能な変調方式は64QAMと等しいか、または64QAMより低いステップを含む、請求項９に記載の情報送信方法。
【請求項１１】
前記eNBは、使用すべき前記テーブルの種類を決定するために、
RSRPもしくはRSRQが設定値よりも大きい場合、前記第２のテーブルセットの使用を決定し、または
前記UEによって報告され、かつ設定時間に受信されたCQIオーダーが設定オーダーよりも高く、かつデータが連続的にかつ正確に受信される場合、前記第２のテーブルセットの使用を決定するステップを使用する、請求項９または１０に記載の情報送信方法。
【請求項１２】
前記CQIのビット数は5である、請求項１〜１１のいずれか一項に記載の情報送信方法。
【請求項１３】
情報送信デバイスであって、
CQI(チャネル品質指示)値をeNB(発展型NodeB)へ報告するように構成される、第１の送信モジュールと、
前記eNBによって送信されたMCS(変調および符号化方式)値を受信するように構成され、前記MCS値は、前記eNBによって前記CQI値に従って決定される、第１の受信モジュールと、
前記MCS値に従ってPDSCH(物理下りシェアドチャネル)データを受信するように構成される、第２の受信モジュールと
を備え、
前記CQI値および前記MCS値は、第２のテーブルセットに従って決定され、前記第２のテーブルセットによってサポート可能な変調方式は、64QAM(直交振幅変調)より高いデバイス。
【請求項１４】
前記デバイスが前記第２のテーブルセットをサポートすることを示すのに使用される第１の制御シグナリングを前記eNBへ送信するように構成される、第２の送信モジュールと、
前記eNBによって送信された、前記第２のテーブルセットの使用を示すのに使用される第２の制御シグナリングを受信するように構成される、第３の受信モジュールをさらに備える、請求項１３に記載のデバイス。
【請求項１５】
前記eNBによって送信されるとともに、第１のテーブルセットの使用を示すのに使用される、第３の制御シグナリングが受信された場合、前記第１のテーブルセットを使用して前記CQI値を前記eNBへ報告し、それにより前記eNBが前記第１のテーブルセットに従って前記MCS値を決定するように構成される、第３の送信モジュールをさらに備え、前記第１のテーブルセットによってサポート可能な変調方式は64QAMと等しいか、または64QAMより低い、請求項１４に記載のデバイス。
【請求項１６】
前記第１の送信モジュールおよび前記第１の受信モジュールに対応する前記第２のテーブルセットが、以下の、
前記第２のテーブルセットのいくつかのエントリが前記第１のテーブルセットのいくつかのエントリと同一であり、
前記第２のテーブルセットにおけるCQIテーブルのCQIインデックス数が、前記第１のテーブルセットにおけるCQIテーブルのCQIインデックス数と同一であり、
前記第２のテーブルセットにおけるMCSテーブルのMCSインデックス数が、第１のテーブルセットにおけるMCSテーブルのMCSインデックス数と同一であり、かつ前記第２のテーブルセットにおける前記MCSテーブルが、64QAMより高い変調方式のHARQ再送信のために予約されたMCSインデックスエントリを備える
との条件を満たす、請求項１３〜１５のいずれか一項に記載のデバイス。
【請求項１７】
前記第１の送信モジュールは、前記第２のテーブルセットにおける前記CQIテーブルを使用することによって前記CQI値を決定し、前記第２のテーブルセット内の前記CQIテーブルのスペクトル効率が、以下の、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件と、
２つの隣接した変調方式にそれぞれ対応するスペクトル効率値の間の差異が、前記２つの変調方式のうちの各変調方式における任意の２つの隣接したスペクトル効率値の間の差異よりも小さいという条件とを満たす、請求項１３〜１６のいずれか一項に記載のデバイス。
【請求項１８】
前記第１の受信モジュールによって受信された前記MCS値は、前記第２のテーブルセットにおける前記MCSテーブルを使用することによって決定され、前記第２のテーブルセットにおける前記MCSテーブルは、
前記CQIテーブル内に備えられた全ての変調方式と、
前記CQIテーブル内に備えられた、前記変調方式のための補間を実行することによって取得される値と、
前記CQIテーブル内に備えられた、前記変調方式のための外挿を実行することによって取得される値または、前記CQIテーブル内に備えられた、前記変調方式のＴＢＳと同一のＴＢＳを有する値とを備える、請求項１３〜１７のいずれか一項に記載のデバイス。
【発明の詳細な説明】
【技術分野】
【０００１】
本出願は、発明の名称を“INFORMATION TRANSMISSION METHOD AND DEVICE”として２０１２年３月２日に中国特許庁に出願された、中国特許出願第201210054842.6号の優先権を主張するものであり、これによりその全体が、参照として組み込まれる。
【０００２】
本発明は、モバイル通信技術に関し、より詳細には、情報送信方法およびデバイスに関する。
【背景技術】
【０００３】
現在、ロング・ターム・エボリューション(Long Term Evolution：LTE)システムにおける物理下りシェアドチャネル(Physical Downlink Shared Channel：PDSCH)のオートネゴシエーション処理は、ユーザ機器(User Equipment、UE)がチャネル状態情報(Channel State Information、CSI)を測定するのに使用されるチャネル情報を推定し、推定されたチャネル情報を使用して、UEが最適なランク指示(Rank Indication：RI)および／またはプリコーディング行列指示(Precoding Matrix Indication：PMI)に基づいて信号対干渉雑音比
(Signal to Interference plus Noise Ratio：SINR)を計算し、UEが計算されたSINRを４ビットのチャネル品質指示(Channel Quality Indicator：CQI)に量子化し、UEがCQI値を発展型NodeB(evolution NodeB：eNB)に報告し、eNBはUEによって報告されたCQI値およびネットワーク条件に従って、変調および符号化方式(Modulation and Coding Scheme：MCS)をUEに割り当て、ここでMCSは、PDSCHによって現在使用されている変調および符号化方式を示すのに使用され、およびUEはMCSに従ってPDSCHデータを受信する。SINRをCQIに量子化する処理において、SINRのメインインターバルは(-7dB，19.488dB)であり、インターバルの外部のSINRは、飽和方式（saturation manner）で処理される。
【０００４】
リレー(Relay)またはLTEホットスポット改善(LTE Hotspot Improvements：LTE-Hi)シナリオなどのホットスポットシナリオにおいて、UEによって取得される全てのSINR値は多い。例えば、特定の条件下において、UEのSINR値のほぼ50%は、20dBより大きい。しかしながら、メインインターバルの最大値よりも大きなSINR値は、SINRをCQIへ量子化する処理において飽和方式で処理され、かつ飽和方式におけるSINRに対応するCQIのインデックスは15であるため、UEはたかだかインデックスが15であるCQIに対応する変調および符号化方式しか選択することができず、端末がより高い変調および符号化方式から選択することを制限し、システムパフォーマンスに影響を及ぼす。
【発明の概要】
【課題を解決するための手段】
【０００５】
本発明の実施形態は、先行技術においてシステムパフォーマンスが期待よりも低いという問題を解決する、情報送信方法およびデバイスを提供する。
【０００６】
本発明の実施形態は、
UEがCQI値をeNBに報告するステップと、
UEがeNBによって送信されたMCS値を受信するステップであって、MCS値は、eNBによってCQI値に従って決定される、受信するステップと、
UEがMCS値に従ってPDSCHデータを受信するステップとを含み、
CQI値およびMCS値は第２のテーブルセットに従って決定され、第２のテーブルセットによってサポート可能な変調方式は64QAMより高い、情報送信方法を提供する。
【０００７】
本発明の実施形態は、情報送信デバイスであって、
CQI値をeNBへ報告するように構成される、第１の送信モジュールと、
eNBによって送信されたMCS値を受信するように構成され、MCS値は、eNBによってCQI値に従って決定される、第１の受信モジュールと、
MCS値に従ってPDSCHデータを受信するように構成される、第２の受信モジュールとを含み、
CQI値およびMCS値は、第２のテーブルセットに従って決定され、第２のテーブルセットによってサポート可能な変調方式は、64QAMより高いデバイスを提供する。
【発明の効果】
【０００８】
前述の技術的解決策から、本発明の実施形態において、CQIおよびMCSテーブルのセットが再設定され、その結果、CQIおよびMCSが64QAMより高い変調方式をサポート可能であり、従ってより高い変調方式をサポートして実装し、ホットスポットシナリオにおける要求を満たし、システムパフォーマンスを改善することが理解される。
【図面の簡単な説明】
【０００９】
【図１】図１は、本発明に係る情報送信方法の実施形態の概略的なフローチャートである。
【図２】図２は、本発明に係る情報送信方法の別の実施形態の概略的なフローチャートである。
【図３】図３は、本発明に係る異なる変調方式におけるスペクトル効率とSINRとの間の関係の曲線である。
【図４】図４は、本発明に係る情報送信デバイスの実施形態の模式的構造図である。
【図５】図５は、本発明に係る情報送信デバイスの別の実施形態の模式的構造図である。
【図６】図６は、本発明に係る情報送信デバイスの別の実施形態の模式的構造図である。
【発明を実施するための形態】
【００１０】
図１は、本発明に係る情報送信方法の実施形態の概略的なフローチャートであり、以下のステップを含む。
【００１１】
ステップ１１：UEがCQI値をeNBに報告する。
【００１２】
ステップ１２：UEがeNBによって送信されたMCS値を受信し、ここで、MCS値は、eNBによってCQI値に従って決定される。
【００１３】
ステップ１３：UEがMCS値に従ってPDSCHデータを受信する。ここで、CQI値およびMCS値は、第２のテーブルセットに従って決定され、第２のテーブルセットによってサポート可能な変調方式は64QAMより高い。
【００１４】
本発明のさらなる理解のため、以下でまず既存のプロトコルにおけるCQIテーブルおよびMCSテーブルについて説明する。表１は既存のプロトコルにおけるCQIテーブルであり、表２は既存のプロトコルにおけるMCSテーブルである。
【００１５】
【表１】
2019013055.tif 000003
【００１６】
【表２】
2019013055.tif 000004
【００１７】
前述のMCSにおける変調オーダーの2、4、6は、それぞれ以下の変調方式：4位相偏移変調(Quadrature Phase Shift Keying：QPSK)、16直交振幅変調(Quadrature Amplitude Modulation：QAM)、および64QAMを意味する。
【００１８】
表１および表２から、既存のプロトコルにおけるCQI/MCSによってサポート可能な変調方式はQPSK、16QAM、および64QAMであり、また最も高いオーダーの変調方式は64QAMであることが理解される。
【００１９】
ホットスポットシナリオにおいて、SINRは概ね高く、64QAMより高い変調方式を十分にサポート可能である。しかしながら、既存のプロトコル方式に従って、最も高いサポートされた変調方式は64QAMのみであり、従ってシステムパフォーマンスに影響する。
【００２０】
本発明のこの実施形態において、ホットスポットシナリオにおける要求が考慮され、CQI/MCSテーブルのセットが再設計される。既存のプロトコルと区別するために、既存のCQI/MCSテーブルは第１のテーブルセットと称されてもよく、本発明のこの実施形態において再設計されるテーブルは、第２のテーブルセットと称されてもよい。本発明のこの実施形態における第２のテーブルセットは、より高いオーダーの変調方式をサポートし、256QAMのサポートが本発明のこの実施形態における例として使用される。もちろん、より高いオーダーの変調方式がサポートされる必要がある場合、1024QAMなどのさらに高いオーダーの変調方式がサポートされてもよい。
【００２１】
特定の実装において、既存のCQIテーブルのサイズと同一のサイズのCQIテーブルが使用されてもよい。この場合において、CQIテーブルにおけるそれぞれのCQIインデックスに対応する変調方式の値、コードレート、およびスペクトル効率が再設計される必要があるか、またはCQIのビット数もまた拡張されてもよい。例えば、先行技術におけるCQIが4ビットであって、本発明のこの実施形態におけるCQIが5ビットとして設計されてもよく、従って、既存のCQIのインデックスより大きな16の追加のインデックスが存在し、追加部分は256QAMを意味するために使用される。特定の実装のため、後続の実施形態を参照されたい。
【００２２】
図２は、本発明に係る情報送信方法の別の実施形態の概略的なフローチャートであり、以下のステップを含む。
【００２３】
ステップ２１：UEが制御シグナリングをeNBへ送信する。ここで、制御シグナリングはUEが第２のテーブルセットをサポートすることを示すのに使用される。
【００２４】
UEは、特徴グループ指示(feature Group Indicators：FGI)ビットまたは別の無線リソース制御(Radio Resource Control：RRC)コマンドを使用してeNBにUEが第２のテーブルセットをサポートすることを通知してもよい。
【００２５】
ステップ２２：eNBが制御シグナリングをUEに送信する。ここで、制御シグナリングは、テーブルの使用を示すのに使用される。
【００２６】
UEが第２のテーブルセットをサポート可能であることを判定後、eNBは実際のネットワーク条件に従って、第１のテーブルセットまたは第２のテーブルセットのどちらを使用するかどうかを決定してもよい。
【００２７】
例えば、既存のチャネル条件が良好であると判定される場合、特に、測定の手段によって取得される基準信号受信電力(Reference Signal Received Power：RSRP)または基準信号受信品質(Reference Signal Received Quality：RSRQ)が設定値よりも高い場合、eNBは
第２のテーブルセットを使用すると決定してもよい。代替的に、設定時間においてUEによって報告され、かつeNBによって受信された全てのCQIオーダーが設定オーダーよりも高く、かつデータが連続的にかつ正確に受信される場合、eNBは第２のテーブルセットを使用すると決定してもよい。例えば、設定時間TにおいてUEによって報告され、かつeNBによって受信された全てのCQIオーダーが64QAMであり、かつデータが連続的にかつ正確に受信される場合、eNBがより高いオーダーの変調方式が使用可能であると決定してもよく、従って、第２のテーブルセットを使用することを決定してもよい。
【００２８】
eNBが第２のテーブルセットを使用することを決定した場合、第２のテーブルセットの使用を示すのに使用される制御シグナリングが明確に送信され、この場合、この実施形態における例として使用される。eNBが第１のテーブルセットを使用することを決定したとき、eNBが第１のテーブルセットの使用を示すのに使用される制御シグナリングをUEに送信後、先行技術に従って実行するように実装されてもよいことが理解される。
【００２９】
ステップ２３：UEは、第2のフォーマットのセットに従ってCQI値を決定し、CQI値をeNBへ送信する。
【００３０】
ステップ２４：eNBは、第2のフォーマットのセットに従ってMCS値を決定し、MCS値をUEへ送信する。
【００３１】
ステップ２５：UEは、MCS値に従ってPDSCHデータを受信する。
【００３２】
第２のテーブルセットにおけるCQIテーブルは、表３に示され、第２のテーブルセットにおけるMCSテーブルは、表４または表５に示される。
【００３３】
【表３】
2019013055.tif 000005
【００３４】
【表４】
2019013055.tif 000006
【００３５】
【表５】
2019013055.tif 000007
【００３６】
表３から、第２のテーブルセットにおけるCQIテーブルは、以下の条件を満たすことが理解される。
（１）変調オーダーが２より大きい任意の変調方式において、２つの隣接したスペクトル効率値の間の差異がほぼ同等である。ここで、ａがｂとほぼ同等であるとは、ａとｂとの差異の絶対値が設定値よりも小さいことを意味し、設定値は0.2であってもよい。
【００３７】
例えば、16QAMに対応して、スペクトル効率はそれぞれ1.6533、2.2933、および2.9867であり、2.2933-1.6533は、2.9867-2.2933とほぼ同等である。
【００３８】
（２）２つの隣接した変調方式にそれぞれ対応するスペクトル効率値の間の差異が、２つの変調方式のうちの単一の変調方式における任意の２つの隣接したスペクトル効率値の間の差異よりも小さい。
【００３９】
例えば、隣接したQPSKおよび16QAMに対応して、対応するスペクトル効率がそれぞれ1.4133および1.6533であり、1.6533-1.4133は2.2933-1.6533より小さく、また2.9867-2.2933よりも小さい。
【００４０】
前述の条件を満たすCQIテーブルにおける値は、以下の方法で取得されてもよい。
各変調方式におけるSINRとスペクトル効率との間の関係の曲線を決定する。
【００４１】
スペクトル効率は、各変調シンボルのビットを正確に送信する効率として定義され、
【数１】
2019013055.tif 000008
を意味してもよい。ここで、Mは送信されたビット数であり、Nはエンコーディングおよびレートマッチング実行後のビット数であり、
【数２】
2019013055.tif 000009
は、変調オーダーであり、QPSKの変調オーダーは2である。16QAMの変調オーダーは4であり、・・・である。
【００４２】
設計は、4つのRBのスケジューリングに基づく。4つのRBで送信可能なビット数Ｎは、以下の方法で取得される。
【００４３】
１サブフレーム(subframe)は14のOFDMシンボルを有し、OFDMシンボルのうち１つはPDCCHのために予約され、利用可能なOFDMシンボルの数は13である、
【００４４】
１つのRBは12のREを有し、１つのサブフレームの１つのRBにおける、正常なRE(valid RE)の数は、12×13＝156である。
4つのRBは、4×156＝624の正常なREを有する。
【００４５】
QPSK変調の場合、エンコードされたビット数(N)は、624×2＝1248であり、16QAMの場合、624×4ビットが存在する、などである。このように、Nが取得可能である。
【００４６】
4つのRBにおいて送信される元のビット数(M)は、QPPによって許可されるTBSに従ってテーブルを探索することで取得される。詳細は、以下のテーブルを参照されたい。
【００４７】
【表６】
2019013055.tif 000010
【００４８】
Mは、前述のテーブルにおけるKである。このように、Mが取得可能である。
【００４９】
MおよびNが取得された後、スペクトル効率が取得可能である。
【００５０】
インターバル[0,1]内に収まるコードレートを有する各変調方式におけるTBSが選択される。AWGNの場合、TBSはBLERが10%のときに要求される最小のSINRをエミュレートするために使用される。このように、SINRが取得可能である。
【００５１】
SINRおよびスペクトル効率を使用することによって、関係曲線が取得される。
【００５２】
前述のエミュレーション手段によって取得された、異なる変調方式におけるスペクトル効率とSINRとの間の関係曲線は図３に示される。図３を参照すると、下から上に4つの曲線がQPSK、16QAM、64QAM、および256QAMにそれぞれ対応する。2つの曲線の交点でのSINR値およびスペクトル効率値は、それぞれ(4.5dB, 1.45)、(12.5dB, 3.5)、および(19.2, 5.5)である。
【００５３】
（２）各変調方式に対応する関係曲線に従って、各変調方式に対応するCQIにおける各アイテムの値が取得される。
【００５４】
特定の数点が各変調方式で選択されてよい。変調方式に対応する関係曲線上で、選択された点に対応するスペクトル効率が取得される。取得されたスペクトル効率の値は、表３におけるスペクトル効率の値である。スペクトル効率の値は、コードレートを取得するために、変調オーダーによって除算され、コードレートは表３におけるコードレート×1024の値を取得するために1024倍される。ここで、QPSKの変調オーダーは2であり、16QAMの変調オーダーは4であり、64QAMの変調オーダーは6であり、256QAMの変調オーダーは8である。
【００５５】
各変調方式で選択された点は、以下の条件を満たす。
（１）SINRが設定値よりも低いとき、上記の点は等価SINR方法(equal-SINR manner)で選択され、SINRが設定値より大きいまたは同一のとき、上記の点は、等価スペクトル効率方法(equal-spectral-efficiency manner)で選択される。
【００５６】
この実施形態において、設定値が4.5dBであり、従ってQPSK方式では、上記の点は等価SINR方法で選択され、16QAM、64QAM、および256QAMでは、上記の点は等価スペクトル効率方法で選択される。Mが選択範囲を有するため、等価スペクトル効率方法または等価SINR方法で取得される点は、値が取得され、かつ等価SINR方法または等価スペクトル効率方法で取得された点と最も近い点であることが理解されよう。
【００５７】
さらにこの実施形態において、カバレッジを確実にするため、SINRが小さいとき、CQIテーブルは対応する変調方式をなお含む。しかしながら、SINRが小さいとき、変調方式を示す過度のCQIインデックスを使用することを避けるため、この実施形態において、SINRが小さいときに対応する変調方式の数が削減される。例えば、表１が表３と比較され、この実施形態において使用されるQPSK変調方式の数が先行技術において使用されるQPSK変調方式の数より少ないことが理解される。
（２）２つの変調方式に対応する関係曲線の交点の設定範囲において、CQIインデックスが選択され、選択されたCQIインデックスに対応する変調方式は、２つの変調方式のうちのより高いオーダーの変調方式であり、選択されたCQIインデックスに対応するスペクトル効率と、２つの変調方式のうちの他の変調方式における最大のスペクトル効率との間の差異は、より高いオーダーの変調方式における任意の2つのCQIインデックスに対応するスペクトル効率値間の差異よりも小さい。
【００５８】
設定範囲は、交点付近の0.5dBの範囲内であってもよい。例えば、QPSKおよび16QAMの交点でのSINR値は4.5dBであり、従って、CQIインデックスは(4.5-0.5、4.5+0.5)の範囲内で設定される必要があり、インデックスに対応する変調方式は、より高いオーダーの変調方式である。すなわち、対応する変調方式は16QAMである。スペクトル効率の値およびコードレートの値は、16QAMに対応する関係曲線に従って取得される。
【００５９】
表３を参照すれば、インデックスが4であるCQIに対応するスペクトル効率と、インデックスが3であるCQIに対応するスペクトル効率との間の差異は、インデックスが4、5、および6であるCQIに対応するスペクトル効率値のうちの任意の2つの間の差異よりも小さい。
【００６０】
CQIテーブルが前述の方法で決定された後、MCSテーブルは、以下を含む。
（１）CQIテーブルに含まれる全ての変調方式
例えば、表３においてQPSK、16QAM、64QAM、および256QAMに対応する値は、それぞれ3、3、5、4であり、従って、表４において、4に対応する変調方式は、少なくとも3、3、5、4の値を含む。
（２）CQIテーブルに含まれる変調方式のための補間(interpolation)を実行することによって取得される値
例えば、QPSKに対応する3つの点があり、3つの点に対して補間が実行された後に2つの点が取得される。補間は、特に等価インターバル補間(equal-interval interpolation)であってもよい。例えば、等価SINRインターバル補間(equal-SINR-interval interpolation)がQPSKに対して使用され、等価スペクトル効率インターバル補間(equal-spectral-efficiency-interval interpolation)が16QAM、64QAM、および256QAMに対して使用されてもよい。
【００６１】
補間後、MCSテーブルは、それ自体の変調方式および、QPSKに対応する、少なくとも3+2=5の値である、補間後の値を含む。同様に、MCSテーブルにおいて、16QAMに対応する少なくとも3+2=5の値が存在し、64QAMに対応する少なくとも5+4=9の値が存在し、256QAMに対応する少なくとも4+3=7の値が存在する。
【００６２】
MCSテーブル内に28の正常な値が存在するため、補間後の値の数は、5+5+9+7=26であり、２つのMSCインデックスに対応する値が残っている。MCSインデックスの2つの残る値は外挿(extrapolation)を実行することによって、または別の隣接する変調方式のTBSと同一のTBSを選択することによって取得されてもよい。
【００６３】
外挿が使用される方法において、例えば表４を参照すれば、外挿が16QAMおよびQPSKのために実行された後、16QAMに対応するMCSインデックスが取得され、外挿が64QAMおよび256QAMのために実行された後、64QAMに対応するMCSインデックスが取得される。
【００６４】
同一のTBSが使用される方法において、例えば表５を参照すれば、インデックス5かつ変調方式16QAMのTBSは、インデックス4かつ変調方式QPSKのTBSと同一であり、インデックス20かつ変調方式64QAMのTBSは、インデックス21かつ変調方式256QAMのTBSと同一である。
【００６５】
前述の決定原理の手段により、表３および表４、または表３および表５のように第２のテーブルセットの種類が取得されてよい。前述のテーブルから、第２のテーブルセットはより高い変調方式をサポート可能であり、特に256QAMをさらにサポート可能であることが理解される。例えば、スペクトル効率がほぼ5.5であるとき、使用される変調方式は256QAMであるが、既存のプロトコルにおける64QAMが使用されることが表３から理解される。従って、この実施形態はより高いオーダーの変調方式をサポートし、システムパフォーマンスを改善することが可能である。
【００６６】
さらに、第２のテーブルセットにおけるCQIテーブルのCQIインデックス数は、第１のテーブルセットにおけるCQIテーブルのCQIインデックス数と同一である。同様に、第２のテーブルセットにおけるMCSテーブルのMCSインデックス数は、第１のテーブルセットにおけるMCSテーブルのMCSインデックス数と同一である。従って、この実施形態は既存のプロトコルと互換性がある。特にMCSテーブルについては、この実施形態において、4つの変調方式がサポートされるため、4ビットがMCSテーブルの予約済み部分に要求される。予約済み部分は、ハイブリッド自動再送要求(Hybrid Automatic Repeat Request：HARQ)再送信のために使用されるMCSインデックス数であってもよい。
【００６７】
前述の実施形態において使用される第２のテーブルセットにおけるインデックス数は、既存の第１のテーブルセットにおけるインデックス数と同一である。任意的に、本発明は別の実施形態を与える。この実施形態において、4ビットを占有する既存のCQIと異なり、この実施形態におけるCQIは5ビットを占有し、従ってCQIインデックス数は32である。しかし、既存のCQIインデックス数は16である。この場合において、追加のインデックスエントリは256QAMを意味するように使用されてもよい。
【００６８】
新しいCQIテーブルにおいて、N個のインデックスが他のシグナリング通知のために予約されてもよい。ここで、Ｎ＝Ｎｍｏｄｕ−１であり、Ｎｍｏｄｕは、サポートされる変調方式の数である。
【００６９】
この場合において、MCSテーブルのサイズは、先行技術におけるMCSテーブルのサイズと同一であってもよいが、より高い変調方式がサポートされる。
【００７０】
この実施形態において、より高いオーダーの変調方式が第２のテーブルセットを使用することによってサポート可能である。QPSK変調方式がなお含まれることで、カバレッジが十分に考慮される。先行技術と比較して、この実施形態はQPSKに対応する値を削減し、フィードバックのオーバーヘッドの浪費を削減することが可能である。２つの隣接した変調方式におけるスペクトル効率値間のより小さな差異を選択することにより、２つの変調方式間の遷移がより安定する。対応する値は等価スペクトル効率方法におけるより高いオーダーの変調方式のために取得され、システムパフォーマンスを円滑に改善することが可能である。
【００７１】
図４は、本発明に係る情報送信デバイスの実施形態の模式的構造図である。デバイスはUEであってもよい。デバイスは、第１の送信モジュール４１と、第１の受信モジュール４２と、第２の受信モジュール４３とを含む。第１の送信モジュール４１は、CQI値をeNBへ報告するよう構成され、第１の受信モジュール４２は、eNBによって送信されたMCS値を受信するように構成され、ここでMCS値はCQI値に従ってeNBによって決定され、第２の受信モジュール４３はMCS値に従ってPDSCHデータを受信するように構成され、ここでCQI値およびMCS値は第２のテーブルセットに従って決定され、ここで第２のテーブルセットによってサポートされる変調方式は64QAMより高い。
【００７２】
任意に、図５を参照すれば、デバイスは第２の送信モジュール５１と、第３の受信モジュール５２とをさらに含んでもよい。第２の送信モジュール５１は、制御シグナリングをeNBへ送信するように構成され、ここで制御シグナリングは、デバイスが第２のテーブルセットをサポートすることを示すのに使用され、第３の受信モジュール５２はeNBによって送信された制御シグナリングを受信するように構成され、ここで制御シグナリングは第２のテーブルセットの使用を示すのに使用される。
【００７３】
任意に、図６を参照すれば、デバイスは第３の送信モジュール６１をさらに含んでもよい。第３の送信モジュール６１は、eNBによって送信されるとともに、第１のテーブルセットの使用を示すのに使用される制御シグナリングが受信された場合、第１のテーブルセットを使用してCQI値をeNBへ報告し、それによりeNBが第１のテーブルセットに従ってMCS値を決定するように構成される。
【００７４】
任意に、第１の送信モジュールおよび第１の受信モジュールに対応する第２のテーブルセットが、以下の、
第２のテーブルセットのいくつかのエントリが第１のテーブルセットのいくつかのエントリと同一であり、
第２のテーブルセットにおけるCQIテーブルのCQIインデックス数が、第１のテーブルセットにおけるCQIインデックス数と同一であり、
第２のテーブルセットにおけるMCSテーブルのMCSインデックス数が第１のテーブルセットにおけるMCSテーブルのMCSインデックス数と同一であり、かつ第２のテーブルセットにおけるMCSテーブルが64QAMより高い変調方式のHARQ再送信のために予約されたMCSインデックスエントリを含む、との条件を満たす。
【００７５】
任意に、第１の送信モジュールは、第２のテーブルセットにおけるCQIテーブルを使用することによってCQI値を決定し、第２のテーブルセットにおけるCQIテーブルのスペクトル効率が、以下の、
変調オーダーが２より大きい任意の変調方式において、２つの隣接したスペクトル効率値の間の差異がほぼ同等であり、ここで、ａがｂとほぼ同等であるとは、ａとｂとの差異の絶対値が設定値よりも小さいことを意味する条件と、
２つの隣接した変調方式にそれぞれ対応するスペクトル効率値の間の差異が、２つの変調方式のうちの単一の変調方式における任意の２つの隣接したスペクトル効率値の間の差異よりも小さいという条件とを満たす。
【００７６】
任意に、第１の受信モジュールによって受信されたMCS値は、第２のテーブルセットにおけるMCSテーブルを使用することによって決定され、第２のテーブルセットにおけるMCSテーブルは、
CQIテーブル内に含まれる全ての変調方式と、
CQIテーブル内に含まれる、変調方式のための補間を実行することによって取得される値と、
CQIテーブル内に含まれる、変調方式のための外挿を実行することによって取得される値または、CQIテーブル内に含まれる、変調方式のＴＢＳと同一のＴＢＳを有する値とを含む。
【００７７】
さらに、eNBは使用すべきテーブルの種類を決定するために、以下の方法を使用してもよい。
RSRPもしくはRSRQが設定値よりも大きい場合、第２のテーブルセットの使用を決定し、または
UEによって報告され、かつ設定時間に受信されたCQIオーダーが設定オーダーよりも高く、かつデータが連続的にかつ正確に受信される場合、第２のテーブルセットの使用を決定する。
【００７８】
さらに、この実施形態における第２のテーブルセットのCQIテーブルは、特に表３に示されるものであってもよく、第２のテーブルセットにおけるMCSテーブルは、特に表４または表５に示されるものであってもよい。
【００７９】
この実施形態において、より高いオーダーの変調方式が第２のテーブルセットを使用することによってサポートされることが可能である。QPSK変調方式がなお含まれることで、カバレッジが十分に考慮される。先行技術と比較して、この実施形態はQPSKに対応する値を削減し、フィードバックのオーバーヘッドの浪費を削減することが可能である。２つの隣接した変調方式におけるスペクトル効率値間のより小さな差異を選択することにより、２つの変調方式間の遷移がより安定する。対応する値は等価スペクトル効率方法におけるより高いオーダーの変調方式のために取得され、システムパフォーマンスを円滑に改善することが可能である。
【００８０】
当業者は本方法の実施形態の全てまたは一部のステップが関連するハードウェアに命令するプログラムによって実装されてよいことを理解するであろう。プログラムは、コンピュータ読み取り可能な記憶媒体に記憶されてもよい。プログラムの実行時、本方法の実施形態のステップが実行される。前述の記憶媒体は、ROM、RAM、磁気ディスク、または光ディスクなどの、プログラムコードを記憶可能な任意の媒体を含む。
【００８１】
最後に、前述の実施形態は単に本発明の技術的解決策を説明するために意図されたものであり、本発明を限定するものではないことを了解されたい。本発明は前述の実施形態を参照して詳細に説明されたが、本発明の実施形態の技術的解決策の範囲から逸脱することなく、前述の実施形態において説明された技術的解決策の変更または前述の実施形態において説明された技術的解決策のいくつかまたは全ての技術的特徴の等価な置換がなされてもよいことを、当業者は理解すべきである。
【符号の説明】
【００８２】
４１  第１の送信モジュール
４２  第１の受信モジュール
４３  第２の受信モジュール
５１  第２の送信モジュール
５２  第３の受信モジュール
６１  第３の送信モジュール
【図１】
2019013055.tif 000014
【図２】
2019013055.tif 000015
【図３】
2019013055.tif 000016
【図４】
2019013055.tif 000017
【図５】
2019013055.tif 000018
【図６】
2019013055.tif 000019
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
情報送信方法であって、
ユーザ機器(UE)が第２のテーブルセット内のチャネル品質指示(CQI)テーブルを使用することによってCQI値を決定するステップであって、前記第２のテーブルセットは、変調および符号化方式(MCS)テーブルとCQIテーブルとを含み、前記第２のテーブルセットによってサポート可能な変調方式は64QAMより高く、前記UEはまた第１のテーブルセットをサポートし、前記第１のテーブルセットは前記第２のテーブルセットの前記MCSテーブルとは異なる別のMCSテーブルを含み、前記第１のテーブルセットは前記第２のテーブルセットの前記CQIテーブルとは異なる別のCQIテーブルを含む、ステップと、
前記UEが前記CQI値をeNodeB(eNB)に報告するステップであって、前記CQI値は前記eNBが前記CQI値にしたがってMCS値を決定するためのものである、ステップと、
前記UEが前記eNBによって送信された前記MCS値を受信するステップと、
前記UEが前記MCS値に従ってPDSCH(物理下りシェアドチャネル)データを受信するステップと
を備え、
前記第２のテーブルセットに含まれる前記CQIテーブルにおけるスペクトル効率が、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件を満たす、
情報送信方法。
【請求項２】
前記UEが第１の制御シグナリングを前記eNBへ送信するステップであって、前記第１の制御シグナリングは前記UEが前記第２のテーブルセットをサポートすることを示すのに使用される、ステップと、
前記UEが前記eNBによって送信された第２の制御シグナリングを受信するステップであって、前記第２の制御シグナリングは前記第２のテーブルセットの使用を示すのに使用される、ステップと
をさらに備える、請求項１に記載の情報送信方法。
【請求項３】
前記第２のテーブルセットのいくつかのエントリが前記第１のテーブルセットのいくつかのエントリと同一であり、
前記第２のテーブルセットにおける前記CQIテーブルのCQIインデックス数が前記第１のテーブルセットにおける前記CQIテーブルのCQIインデックス数と同一であり、
前記第２のテーブルセットにおける前記MCSテーブルのMCSインデックス数が前記第１のテーブルセットにおける前記MCSテーブルのMCSインデックス数と同一であり、かつ前記第２のテーブルセットにおける前記MCSテーブルが64QAMより高い変調方式のHARQ(ハイブリッド自動再送要求)再送信のために予約されたMCSインデックスエントリを備える、
請求項１または２に記載の情報送信方法。
【請求項４】
前記第２のテーブルセットに含まれる前記MCSテーブルが、
前記CQIテーブル内に備えられた全ての変調方式と、
前記CQIテーブル内に備えられた、前記変調方式のための補間を実行することによって取得される値と
を備える、請求項１〜３のいずれか一項に記載の情報送信方法。
【請求項５】
前記設定値が0.2である、請求項１〜４のいずれか一項に記載の情報送信方法。
【請求項６】
前記第２のテーブルセット内の前記CQIテーブルにおけるCQIインデックスの数が前記第１のテーブルセット内の前記CQIテーブルにおけるCQIインデックスの数と同じであり、前記第２のテーブルセット内の前記MCSテーブルにおけるMCSインデックスの数が前記第１のテーブルセット内の前記MCSテーブルにおけるMCSインデックスの数と同じである、請求項１に記載の情報送信方法。
【請求項７】
前記第２のテーブルセット内の前記CQIテーブルにおける前記スペクトル効率が、以下の、
変調オーダーが２に等しい任意の変調方式において、２つの隣接したスペクトル効率値の間の差異がほぼ同等ではなく、ａがｂとほぼ同等であるとは、ａとｂとの差異の絶対値が設定値よりも小さいことを意味する条件をさらに満たす、
請求項１〜６のいずれか一項に記載の情報送信方法。
【請求項８】
前記第２のテーブルセットによってサポート可能な前記変調方式が256QAMである、請求項１〜７のいずれか一項に記載の情報送信方法。
【請求項９】
情報送信デバイスであって、
第２のテーブルセット内のチャネル品質指示(CQI)テーブルを使用することによってCQI値を決定し、かつ前記CQI値をeNodeB(eNB)へ報告するように構成される第１の送信モジュールであって、前記CQI値は前記eNBが前記CQI値にしたがって変調および符号化方式(MCS)値を決定するためのものであり、前記第２のテーブルセットは、MCSテーブルとCQIテーブルとを含み、前記第２のテーブルセットによってサポート可能な変調方式は64QAMより高く、前記情報送信デバイスはまた第１のテーブルセットをサポートし、前記第１のテーブルセットは前記第２のテーブルセットの前記MCSテーブルとは異なる別のMCSテーブルを含み、前記第１のテーブルセットは前記第２のテーブルセットの前記CQIテーブルとは異なる別のCQIテーブルを含む、第１の送信モジュールと、
前記eNBによって送信された前記MCS値を受信するように構成される第１の受信モジュールと、
前記MCS値に従ってPDSCH(物理下りシェアドチャネル)データを受信するように構成される第２の受信モジュールと
を備え、
前記第２のテーブルセットに含まれる前記CQIテーブルにおけるスペクトル効率が、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件を満たす、
情報送信デバイス。
【請求項１０】
第１の制御シグナリングを前記eNBへ送信するように構成される第２の送信モジュールであって、前記第１の制御シグナリングは前記情報送信デバイスが前記第２のテーブルセットをサポートすることを示すのに使用される、ステップと、
前記eNBによって送信された第２の制御シグナリングを受信するように構成される第３の受信モジュールであって、前記第２の制御シグナリングは前記第２のテーブルセットの使用を示すのに使用される、第３の受信モジュールと
をさらに備える、請求項９に記載の情報送信デバイス。
【請求項１１】
前記第１の送信モジュールおよび前記第１の受信モジュールに対応する前記第２のテーブルセットが、以下の、
前記第２のテーブルセットのいくつかのエントリが前記第１のテーブルセットのいくつかのエントリと同一であり、
前記第２のテーブルセットにおける前記CQIテーブルのCQIインデックス数が前記第１のテーブルセットにおける前記CQIテーブルのCQIインデックス数と同一であり、
前記第２のテーブルセットにおける前記MCSテーブルのMCSインデックス数が第１のテーブルセットにおける前記MCSテーブルのMCSインデックス数と同一であり、かつ前記第２のテーブルセットにおける前記MCSテーブルが64QAMより高い変調方式のHARQ(ハイブリッド自動再送要求)再送信のために予約されたMCSインデックスエントリを備える
との条件を満たす、請求項９または１０に記載の情報送信デバイス。
【請求項１２】
前記設定値が0.2である、請求項９〜１１のいずれか一項に記載の情報送信デバイス。
【請求項１３】
前記第１の受信モジュールによって受信された前記MCS値は、前記第２のテーブルセットにおける前記MCSテーブルを使用することによって決定され、前記第２のテーブルセットにおける前記MCSテーブルが、
前記CQIテーブル内に備えられた全ての変調方式と、
前記CQIテーブル内に備えられた、前記変調方式のための補間を実行することによって取得される値と
を備える、請求項９〜１２のいずれか一項に記載の情報送信デバイス。
【請求項１４】
前記第１の送信モジュールおよび前記第１の受信モジュールに対応する前記第２のテーブルセットが、以下の、
前記第２のテーブルセット内の前記CQIテーブルにおけるCQIインデックスの数が前記第１のテーブルセット内の前記CQIテーブルにおけるCQIインデックスの数と同じであり、
前記第２のテーブルセット内の前記MCSテーブルにおけるMCSインデックスの数が前記第１のテーブルセット内の前記MCSテーブルにおけるMCSインデックスの数と同じである
との条件を満たす、請求項９〜１３のいずれか一項に記載の情報送信デバイス。
【請求項１５】
前記第２のテーブルセット内の前記CQIテーブルにおける前記スペクトル効率が、以下の、
変調オーダーが２に等しい任意の変調方式において、２つの隣接したスペクトル効率値の間の差異がほぼ同等ではなく、ａがｂとほぼ同等であるとは、ａとｂとの差異の絶対値が設定値よりも小さいことを意味する条件をさらに満たす、
請求項９〜１４のいずれか一項に記載の情報送信デバイス。
【請求項１６】
前記第２のテーブルセットによってサポート可能な前記変調方式が256QAMである、請求項９〜１５のいずれか一項に記載の情報送信デバイス。
【請求項１７】
情報送信方法であって、
eNodeB(eNB)がUE(ユーザ機器)からチャネル品質指示(CQI)値を受信するステップであって、前記CQI値は第２のテーブルセット内のCQIテーブルを使用して決定され、前記第２のテーブルセットは変調および符号化方式(MCS)テーブルとCQIテーブルとを含み、前記第２のテーブルセットによってサポート可能な変調方式は64QAMより高く、前記UEはまた第１のテーブルセットをサポートし、前記第１のテーブルセットは前記第２のテーブルセットの前記MCSテーブルとは異なる別のMCSテーブルを含み、前記第１のテーブルセットは前記第２のテーブルセットの前記CQIテーブルとは異なる別のCQIテーブルを含む、ステップと、
前記eNBが前記CQI値に従ってMCS値を決定するステップと、
前記eNBが前記MCS値を前記UEに送信するステップと、
前記eNBが前記MCS値に従って物理下りシェアドチャネル(PDSCH)データを送信するステップと
を備え、
前記第２のテーブルセットに含まれる前記CQIテーブルにおけるスペクトル効率が、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件を満たす、
情報送信方法。
【請求項１８】
eNodeB(eNB)が、前記UEから第１の制御シグナリングを受信するステップであって、前記第１の制御シグナリングは前記UEが前記第２のテーブルセットをサポートすることを示すのに使用される、ステップと、
前記eNBが前記第２のテーブルセットの使用を示すための第２の制御シグナリングを前記UEに送信するステップと
をさらに備える、請求項１７に記載の情報送信方法。
【請求項１９】
前記第２のテーブルセットのいくつかのエントリが前記第１のテーブルセットのいくつかのエントリと同一であり、
前記第２のテーブルセット内の前記CQIテーブルのCQIインデックス数が前記第１のテーブルセット内の前記CQIテーブルのCQIインデックス数と同一であり、
前記第２のテーブルセット内の前記MCSテーブルのMCSインデックス数が前記第１のテーブルセット内の前記MCSテーブルのMCSインデックス数と同一であり、かつ前記第２のテーブルセット内の前記MCSテーブルは、64QAMより高い変調方式のHARQ(ハイブリッド自動再送要求)再送信のために予約されたMCSインデックスエントリを備える、
請求項１７または１８に記載の情報送信方法。
【請求項２０】
前記第２のテーブルセット内の前記CQIテーブルにおける前記スペクトル効率が、以下の、
変調オーダーが２に等しい任意の変調方式において、２つの隣接したスペクトル効率値の間の差異がほぼ同等ではなく、ａがｂとほぼ同等であるとは、ａとｂとの差異の絶対値が設定値よりも小さいことを意味する条件をさらに満たす、
請求項１７〜１９のいずれか一項に記載の情報送信方法。
【請求項２１】
前記第２のテーブルセット内の前記MCSテーブルが、
前記CQIテーブル内に備えられた全ての変調方式と、
前記CQIテーブル内に備えられた、前記変調方式のための補間を実行することによって取得される値と
を備える、請求項１７〜２０のいずれか一項に記載の情報送信方法。
【請求項２２】
前記設定値が0.2である、請求項１７〜２１のいずれか一項に記載の情報送信方法。
【請求項２３】
前記第２のテーブルセット内の前記CQIテーブルにおけるCQIインデックスの数が前記第１のテーブルセット内の前記CQIテーブルにおけるCQIインデックスの数と同じであり、前記第２のテーブルセット内の前記MCSテーブルにおけるMCSインデックスの数が前記第１のテーブルセット内の前記MCSテーブルにおけるMCSインデックスの数と同じである、請求項１７〜２２のいずれか一項に記載の情報送信方法。
【請求項２４】
前記第２のテーブルセットによってサポート可能な前記変調方式が256QAMである、請求項１７〜２３のいずれか一項に記載の情報送信方法。
【請求項２５】
情報送信デバイスであって、
プログラムコードを記憶した非一時的コンピュータ可読記憶媒体と、
前記非一時的コンピュータ可読記憶媒体に結合されるコンピュータハードウェアであって、
UE(ユーザ機器)からチャネル品質指示(CQI)値を受信することであって、前記CQI値は第２のテーブルセット内のCQIテーブルを使用して前記UEによって決定され、前記第２のテーブルセットは変調および符号化方式(MCS)テーブルとチャネル品質指示(CQI)テーブルとを含み、前記第２のテーブルセットによってサポート可能な変調方式は64QAMより高く、前記UEはまた第１のテーブルセットをサポートし、前記第１のテーブルセットは前記第２のテーブルセットの前記MCSテーブルとは異なる別のMCSテーブルを含み、前記第１のテーブルセットは前記第２のテーブルセットの前記CQIテーブルとは異なる別のCQIテーブルを含む、受信することと、
前記CQI値に従ってMCS値を決定することと、
前記MCS値を前記UEに送信することと、
前記MCS値に従って物理下りシェアドチャネル(PDSCH)データを送信することと
を行うための前記プログラムコードを実行するように構成される、コンピュータハードウェアと
を備え、
前記第２のテーブルセットに含まれる前記CQIテーブルにおけるスペクトル効率が、
変調オーダーが２より大きい任意の変調方式において、２つの隣接したスペクトル効率値の間の差異がほぼ同等であり、ａがｂとほぼ同等であるとは、ａとｂとの差異の絶対値が設定値よりも小さいことを意味する条件を満たす、
情報送信デバイス。
【請求項２６】
前記コンピュータハードウェアは、
前記UEから第１の制御シグナリングを受信することであって、前記第１の制御シグナリングは前記UEが前記第２のテーブルセットをサポートすることを示すのに使用される、受信することと、
前記第２のテーブルセットの使用を示すための第２の制御シグナリングを前記UEに送信することと
をさらに行うための前記プログラムコードを実行するように構成される、請求項２５に記載の情報送信デバイス。
【請求項２７】
前記第２のテーブルセットのいくつかのエントリが前記第１のテーブルセットのいくつかのエントリと同一であり、
前記第２のテーブルセット内の前記CQIテーブルのCQIインデックス数が前記第１のテーブルセット内の前記CQIテーブルのCQIインデックス数と同一であり、
前記第２のテーブルセット内の前記MCSテーブルのMCSインデックス数が前記第１のテーブルセット内の前記MCSテーブルのMCSインデックス数と同一であり、かつ前記第２のテーブルセット内の前記MCSテーブルは、64QAMより高い変調方式のHARQ(ハイブリッド自動再送要求)再送信のために予約されたMCSインデックスエントリを備える、
請求項２５または２６に記載の情報送信デバイス。
【請求項２８】
前記第２のテーブルセット内の前記CQIテーブルにおける前記スペクトル効率が、以下の、
変調オーダーが２に等しい任意の変調方式において、２つの隣接したスペクトル効率値の間の差異がほぼ同等ではなく、ａがｂとほぼ同等であるとは、ａとｂとの差異の絶対値が設定値よりも小さいことを意味する条件をさらに満たす、
請求項２５〜２７のいずれか一項に記載の情報送信デバイス。
【請求項２９】
前記設定値が0.2である、請求項２５〜２８のいずれか一項に記載の情報送信デバイス。
【請求項３０】
前記第２のテーブルセット内の前記MCSテーブルは、
前記CQIテーブル内に備えられた全ての変調方式と、
前記CQIテーブル内に備えられた、前記変調方式のための補間を実行することによって取得される値と
を備える、請求項２５〜２９のいずれか一項に記載の情報送信デバイス。
【請求項３１】
前記第２のテーブルセット内の前記CQIテーブルにおけるCQIインデックスの数が前記第１のテーブルセット内の前記CQIテーブルにおけるCQIインデックスの数と同じであり、前記第２のテーブルセット内の前記MCSテーブルにおけるMCSインデックスの数が前記第１のテーブルセット内の前記MCSテーブルにおけるMCSインデックスの数と同じである、請求項２５〜３０のいずれか一項に記載の情報送信デバイス。
【請求項３２】
前記第２のテーブルセットによってサポート可能な前記変調方式が256QAMである、請求項２５〜３１のいずれか一項に記載のデバイス。
【請求項３３】
コンピュータユニットによって実行されたとき、前記コンピュータユニットに請求項１〜８および１７〜２４のいずれか一項に記載の方法を実施させる、コンピュータプログラム。